(57)【要約】【課題】無線通信機器とＳＤＨ装置とが接続されたシステムにおいて、無線通信機器の適応変調機能と、ＳＤＨ装置のＬＣＡＳ機能とを連動させ、より効率の良い帯域利用を実現する。【解決手段】無線通信回線１３を介して通信を行う無線通信装置３０と、無線通信装置３０と通信可能に接続され、ＳＤＨ回線１１を介して通信を行うＳＤＨ装置２０とを備え、無線通信装置３０は、無線通信回線１３の無線通信回線品質の変化を検出する無線通信回線品質検出手段３１と、無線通信回線品質検出手段３１の検出結果に応じて無線通信回線１３の帯域制御を行う伝送帯域制御手段３２と、伝送帯域制御手段３２が帯域を変更した場合に、変更後の帯域をＳＤＨ装置２０に通知する伝送帯域通知手段３３とを備え、ＳＤＨ装置２０は、無線通信装置３０から通知された帯域に応じて、ＳＤＨ回線１１の帯域制御を行うＳＤＨ回線帯域制御手段２１を備えている。【選択図】図７
2012044360.tif 000002
【特許請求の範囲】
【請求項１】
無線通信回線を介して通信を行う無線通信装置と、前記無線通信装置と通信可能に接続され、ＳＤＨ回線を介して通信を行うＳＤＨ装置とを備え、
前記無線通信装置は、
前記無線通信回線の無線通信回線品質の変化を検出する無線通信回線品質検出手段と、
前記無線通信回線品質検出手段の検出結果に応じて前記無線通信回線の帯域制御を行う伝送帯域制御手段と、
前記伝送帯域制御手段が帯域を変更した場合に、変更後の帯域を前記ＳＤＨ装置に通知する伝送帯域通知手段とを備え、
前記ＳＤＨ装置は、
前記無線通信装置から通知された帯域に応じて、前記ＳＤＨ回線の帯域制御を行うＳＤＨ回線帯域制御手段を備えた
ことを特徴とするＳＤＨ帯域制御システム。
【請求項２】
伝送帯域制御手段は、
無線通信回線品質が低下した場合には無線通信回線の帯域を狭くし、無線通信回線品質が向上した場合には無線通信回線の帯域を広くする
請求項１に記載のＳＤＨ帯域制御システム。
【請求項３】
伝送帯域制御手段は、無線通信回線品質が低下した場合には、帯域を現在の無線通信回線の帯域よりも狭くする変調方式に切り替え、無線通信回線品質が向上した場合には、帯域を現在の無線通信回線の帯域よりも広くする変調方式に切り替える
請求項２に記載のＳＤＨ帯域制御システム。
【請求項４】
無線通信装置とＳＤＨ装置とがイーサネット通信回線によって接続されている
請求項１から請求項３のいずれか１項に記載のＳＤＨ帯域制御システム。
【請求項５】
伝送帯域通知手段は、
帯域変更後の帯域を示す帯域情報をイーサネットパケットに格納し、前記イーサネットパケットをイーサネット通信回線を介してＳＤＨ装置に送信し、
前記ＳＤＨ装置は、
前記イーサネット通信回線から前記イーサネットパケットを抽出し、前記イーサネットパケットから前記帯域情報を取得する
請求項４に記載のＳＤＨ帯域制御システム。
【請求項６】
無線通信回線を介して通信を行う無線通信装置と、前記無線通信装置と通信可能に接続され、ＳＤＨ回線を介して通信を行うＳＤＨ装置とを備えたシステムで実行されるＳＤＨ帯域制御方法であって、
前記無線通信装置が、無線通信回線の無線通信回線品質の変化を検出し、検出結果に応じて前記無線通信回線の帯域制御を行い、帯域を変更した場合に、変更後の帯域を前記ＳＤＨ装置に通知し、
前記ＳＤＨ装置が通知された帯域に応じて、ＳＤＨ回線の帯域制御を行う
ことを特徴とするＳＤＨ帯域制御方法。
【請求項７】
無線通信装置が、無線通信回線品質が低下した場合には無線通信回線の帯域を狭くし、無線通信回線品質が向上した場合には無線通信回線の帯域を広くする
請求項６に記載のＳＤＨ帯域制御方法。
【発明の詳細な説明】
【技術分野】
【０００１】
本発明は、適応変調機能と連動して帯域制御を行うＳＤＨ帯域制御システム及びＳＤＨ帯域制御方法に関する。
【背景技術】
【０００２】
ＳＤＨ装置が接続されているネットワークにおいて、ＳＤＨ回線の帯域を有効に活用するために、ＶＣＡＴ（Ｖｉｒｔｕａｌ  Ｃｏｎｃａｔｅｎａｔｉｏｎ）やＬＣＡＳ（Ｌｉｎｋ  Ｃａｐａｃｉｔｙ  Ａｄｊｕｓｔｍｅｎｔ  Ｓｃｈｅｍｅ）などの技術が使用されている。ＶＣＡＴは、ＳＤＨの伝送単位であるＶＣ（Ｖｉｒｔｕａｌ  Ｃｏｎｔａｉｎｅｒ）パスを複数結合して、仮想的に一つの伝送単位にする技術である。複数のＶＣパスの結合によって構成されたグループは、ＶＣＧ（Ｖｉｒｔｕａｌ  Ｃｏｎｃａｔｅｎａｔｉｏｎ  Ｇｒｏｕｐ）と呼ばれている。ＬＣＡＳは、ＶＣＧの帯域幅を動的に割当てることを可能とするプロトコルとして、ＩＴＵ−Ｔ  Ｇ．７０４２規格で規定されている。
【０００３】
ＶＣＡＴとＬＣＡＳの機能を組み合わせて使用して、トラフィックの量に応じて動的にＳＤＨ回線の帯域を変更する技術が提案されている（特許文献１参照）。
【０００４】
また、無線通信機器が接続されているネットワークにおいて、適応変調方式を使用して無線通信回線品質に応じた変調方式を適用することで、伝送容量の効率化が図られている（特許文献２参照）。
【先行技術文献】
【特許文献】
【０００５】
【特許文献１】特開２００７−０４９３８３
【特許文献２】特開２００９−１７７４５９
【発明の概要】
【発明が解決しようとする課題】
【０００６】
ＳＤＨ装置に無線通信機器が接続されたシステムにおいて、無線通信機器が適応変調方式によって無線伝送路の回線品質に応じて伝送帯域を変化させても、ＶＣＡＴに基づいてパス設定を行っているＳＤＨ装置は、固定的にパスを設定している。よって、ＳＤＨ装置は、余分な帯域を確保しているという状況が生ずる。
【０００７】
そこで、本発明は、無線通信機器とＳＤＨ装置とが接続されたシステムにおいて、無線通信機器に具備されている適応変調機能と、ＳＤＨ装置に具備されているＬＣＡＳ機能とを連動させ、より効率の良い帯域利用を実現することを目的とする。
【課題を解決するための手段】
【０００８】
本発明によるＳＤＨ帯域制御システムは、無線通信回線を介して通信を行う無線通信装置と、無線通信装置と通信可能に接続され、ＳＤＨ回線を介して通信を行うＳＤＨ装置とを備え、無線通信装置は、無線通信回線の無線通信回線品質の変化を検出する無線通信回線品質検出手段と、無線通信回線品質検出手段の検出結果に応じて無線通信回線の帯域制御を行う伝送帯域制御手段と、伝送帯域制御手段が帯域を変更した場合に、変更後の帯域をＳＤＨ装置に通知する伝送帯域通知手段とを備え、ＳＤＨ装置は、無線通信装置から通知された帯域に応じて、ＳＤＨ回線の帯域制御を行うＳＤＨ回線帯域制御手段を備えたことを特徴とする。
【０００９】
本発明によるＳＤＨ帯域制御方法は、無線通信回線を介して通信を行う無線通信装置と、無線通信装置と通信可能に接続され、ＳＤＨ回線を介して通信を行うＳＤＨ装置とを備えたシステムで実行されるＳＤＨ帯域制御方法であって、無線通信装置が、無線通信回線の無線通信回線品質の変化を検出し、検出結果に応じて無線通信回線の帯域制御を行い、帯域を変更した場合に、変更後の帯域をＳＤＨ装置に通知し、ＳＤＨ装置が通知された帯域に応じて、ＳＤＨ回線の帯域制御を行うことを特徴とする。
【発明の効果】
【００１０】
本発明によれば、無線通信機器とＳＤＨ装置とが接続されたシステムにおいて、無線通信機器に具備されている適応変調機能と、ＳＤＨ装置に具備されているＬＣＡＳ機能とを連動させ、より効率の良い帯域利用を実現することができる。
【図面の簡単な説明】
【００１１】
【図１】第１の実施形態が適用されるネットワークシステムの構成の一例を示すブロック図である。
【図２】本発明の第１の実施形態を示すブロック図である。
【図３】本発明の第１の実施形態の動作を示すシーケンス図である。
【図４】第２の実施形態が適用されるネットワークシステムの構成の一例を示すブロック図である。
【図５】本発明の第２の実施形態を示すブロック図である。
【図６】本発明の第２の実施形態の動作を示すシーケンス図である。
【図７】本発明の主要部を示すブロック図である。
【図８】本発明の主要部を示すブロック図である。
【発明を実施するための形態】
【００１２】
実施形態１．
以下、本発明の第１の実施形態を図面を参照して説明する。
【００１３】
図１は、第１の実施形態が適用されるネットワークシステムの構成の一例を示すブロック図である。図１に示すネットワークシステムでは、伝送装置３００とＳＤＨ装置２００とが、ＳＤＨ通信区間１１１を介して接続されている。
【００１４】
図２は、本発明によるＳＤＨ帯域制御システムの第１の実施形態を示すブロック図である。図２に示すように、伝送装置３００は、ＳＤＨ装置３１０と、無線通信装置３２０とを備える。
【００１５】
ＳＤＨ装置２００は、任意ネットワーク１１０と接続されている。
【００１６】
ＳＤＨ装置３１０は、帯域制御信号生成回路３１１と、ＶＣＡＴ終端回路３１２とを備える。また、ＳＤＨ装置３１０とＳＤＨ装置２００とは同様の構成である。ＳＤＨ装置３１０とＳＤＨ装置２００とは、ＬＣＡＳプロトコルを使用して通信を行い、ＳＤＨ通信区間１１１に張られたＶＣＧを構成するＶＣパスの追加、または削除を行い、ＳＤＨ通信区間１１１の帯域変更処理を行う。
【００１７】
無線通信装置３２０は、無線信号終端回路３２１と、イーサネット帯域制御回路３２２と、帯域情報伝達信号生成回路３２３とを備える。イーサネット帯域制御回路３２２は、ＳＤＨ装置３１０のＶＣＡＴ終端回路３１２とイーサネット（登録商標）通信区間１１２を介して接続されている。
【００１８】
無線信号終端回路３２１は、無線通信区間１１３より伝送されてきた無線信号を終端する。さらに、無線通信区間１１３の無線通信回線品質の変化を検出し、変化後の無線通信回線品質を示す無線通信回線品質情報を生成する。無線通信回線品質は、例えば、無線通信回線のＳＮ比によって表される。
【００１９】
なお、無線通信回線品質を、ＳＮ比以外で表してもよい。
【００２０】
イーサネット帯域制御回路３２２は、適応変調方式を使用して、無線通信区間１１３の帯域を無線通信回線品質に適した帯域に動的に設定する。イーサネット帯域制御回路３２２は、無線通信回線のＳＮ比が小さくなり無線通信回線品質が低下した場合には、帯域を現在の無線通信回線の帯域よりも狭くする。また、ＳＮ比が大きくなり無線通信回線品質が向上した場合には、帯域を現在の無線通信回線の帯域よりも広くする。
【００２１】
また、イーサネット帯域制御回路３２２は、帯域変更後の帯域を示す情報（以下、帯域情報と称する。）を帯域情報伝達信号生成回路３２３に通知するための信号である帯域情報信号１２１を生成する。
【００２２】
帯域情報伝達信号生成回路３２３は、帯域情報信号１２１から取得した帯域情報を帯域情報伝達信号１２２としてＳＤＨ装置３１０に出力する。
【００２３】
ＳＤＨ装置３１０において、帯域制御信号生成回路３１１は、帯域情報伝達信号１２２で示される帯域情報を基に、ＶＣＡＴ終端回路３１２にＳＤＨ通信区間１１１の帯域を変更させるための制御信号である帯域制御信号１２３を生成する。
【００２４】
ＶＣＡＴ終端回路３１２は、ＳＤＨ通信区間１１１を介して伝送される信号を終端する。ＶＣＡＴ終端回路３１２は、帯域制御信号１２３から取得した帯域情報を基に、ＬＣＡＳ機能を使用して、ＳＤＨ通信区間１１１の帯域を無瞬断で変更する。
【００２５】
なお、第１の実施形態において、無線通信回線は無線通信区間１１３に相当する。イーサネット通信回線はイーサネット通信区間１１２に相当する。ＳＤＨ回線はＳＤＨ通信区間１１１に相当する。無線通信回線品質検出手段は、無線信号終端回路３２１によって実現される。イーサネット帯域制御手段は、イーサネット帯域制御回路３２２によって実現される。
【００２６】
次に、本実施形態の動作について説明する。
【００２７】
図３は、本発明の第１の実施形態の動作を示すシーケンス図である。無線信号終端回路３２１は、無線通信区間１１３の無線通信回線品質の変化を検出すると（ステップＳ３０１）、変化後の無線通信回線品質を示す無線通信回線品質情報を生成し、イーサネット帯域制御回路３２２へ送信する（ステップＳ３０２）。
【００２８】
イーサネット帯域制御回路３２２は、無線通信回線品質情報を受信すると（ステップＳ３０３）、無線通信回線品質情報に基づいて、適応変調方式を使用して、無線通信区間１１３の帯域を無線通信回線品質に適した帯域に変更する（ステップＳ３０４）。イーサネット帯域制御回路３２２は、ステップＳ３０４の帯域変更処理を実行するとともに、帯域情報信号１２１を生成し、生成した帯域情報信号１２１を帯域情報伝達信号生成回路３２３へ送信する（ステップＳ３０５）。
【００２９】
帯域情報伝達信号生成回路３２３は、帯域情報信号１２１を受信すると（ステップＳ３０６）、帯域情報信号１２１に対応する帯域情報伝達信号１２２を生成する（ステップＳ３０７）。そして、生成した帯域情報伝達信号１２２を帯域制御信号生成回路３１１へ送信する（ステップＳ３０８）。
【００３０】
帯域制御信号生成回路３１１は、帯域情報伝達信号１２２を受信すると（ステップＳ３０９）、帯域情報伝達信号１２２に基づいて帯域制御信号１２３を生成する（ステップＳ３１０）。そして、生成した帯域制御信号１２３をＶＣＡＴ終端回路３１２へ送信する（ステップＳ３１１）。
【００３１】
ＶＣＡＴ終端回路３１２は、帯域制御信号１２３を受信すると、受信した帯域制御信号１２３から帯域情報を取得し、帯域情報から無線通信区間１１３の現在の帯域を認識する（ステップＳ３１２）。そして、対向するＳＤＨ装置２００と相互に通信し、ＬＣＡＳを使用してＳＤＨ通信区間１１１に張られているＶＣＧの帯域を、無線通信区間１１３の現在の帯域に合わせた帯域に無瞬断で変更する（ステップＳ３１３）。
【００３２】
以上に説明したように、第１の実施形態によれば、無線信号終端回路３２１が無線通信区間１１３の無線通信回線品質の変化を検出すると、適応変調方式によって、無線通信区間１１３の帯域が無線通信回線品質に適した帯域に変更され、ＳＤＨ通信区間１１１の帯域が無線通信区間１１３の帯域に合わせた帯域に変更される。そのため、ＳＤＨ通信区間１１１の帯域が、固定的に確保されたままになることなく、無線通信区間１１３の無線通信回線品質の変化に合わせて柔軟に変更されるため、ＳＤＨ通信区間１１１の帯域が有効に活用されるようになる。例えば、無線通信区間１１３の帯域が狭くなった場合には、ＳＤＨ通信区間１１１の帯域を狭くして、空いた帯域を他の装置の通信のために割り当てることができる。
【００３３】
実施形態２．
以下、本発明の第２の実施形態を図面を参照して説明する。
【００３４】
図４は、第２の実施形態が適用されるネットワークシステムの構成の一例を示すブロック図である。第１の実施形態では、ＳＤＨ装置３１０と無線通信装置３２０とが、伝送装置３００に収容されていたが、第２の実施形態では、ＳＤＨ装置４００と無線通信装置５００とは独立して設けられている。図４に示すように、ＳＤＨ装置２００とＳＤＨ装置４００とが、ＳＤＨ通信区間１１１を介して接続されている。また、ＳＤＨ装置４００と無線通信装置５００とがイーサネット通信区間１１２を介して接続されている。
【００３５】
図５は、本発明によるＳＤＨ帯域制御システムの第２の実施形態を示すブロック図である。
【００３６】
無線通信装置５００は、無線信号終端回路５０１と、イーサネット帯域制御回路５０２と、イーサネットパケット生成回路５０４と、イーサネットパケット挿入回路５０５とを備える。
【００３７】
イーサネットパケット生成回路５０４は、帯域情報信号１２１から取得した帯域情報をイーサネットパケット挿入回路５０５に通知するための信号である帯域情報パケット信号１２４を生成する。帯域情報パケット信号１２４は、帯域制御信号生成回路４０１に帯域情報を通知するための信号である。
【００３８】
イーサネットパケット挿入回路５０５は、帯域情報パケット信号１２４をイーサネットパケット１２５に変換し、イーサネットパケット１２５をイーサネット通信区間１１２を介して、ＳＤＨ装置４００へ送信する。
【００３９】
ＳＤＨ装置４００は、帯域制御信号生成回路４０１と、ＶＣＡＴ終端回路４０２と、イーサネットパケット抽出回路４０３とを備える。ＳＤＨ装置４００は、ＳＤＨ通信区間１１１を介して、ＳＤＨ装置２００と接続されている。
【００４０】
イーサネットパケット抽出回路４０３は、イーサネット通信区間１１２から、イーサネットパケット挿入回路５０５で挿入された帯域情報の入ったイーサネットパケット（以下、帯域情報パケットと称する。）を抽出し、帯域情報パケットから帯域情報を取得する。そして、帯域情報を基に、帯域情報パケット信号１２６を生成し、帯域制御信号生成回路４０１に送信する。
【００４１】
帯域制御信号生成回路４０１は、帯域情報パケット信号１２６から帯域情報を設定した帯域制御信号１２３を生成する。
【００４２】
なお、第２の実施形態のその他の構成は、第１の実施形態と同様なため説明を省略する。
【００４３】
次に、本実施形態の動作について説明する。
【００４４】
図６は、本発明の第２の実施形態の動作を示すシーケンス図である。ステップＳ６０１からステップＳ６０４までの処理は、第１の実施形態と同様であるため説明を省略する。また、ステップＳ６１７からステップＳ６１９までの処理は、第１の実施形態と同様であるため説明を省略する。
【００４５】
ステップＳ６０５において、イーサネットパケット制御回路５０４は、ステップＳ６０４の帯域変更処理を実行するとともに、帯域情報信号１２１を生成し、生成した帯域情報信号１２１を帯域情報伝達信号生成回路５０４へ送信する。
【００４６】
イーサネットパケット生成回路５０４は、帯域情報信号１２１を受信すると（ステップＳ６０６）、帯域情報信号１２１に対応する帯域情報パケット信号１２４を生成する（ステップＳ６０７）。そして、生成した帯域情報パケット信号１２４をイーサネットパケット挿入回路５０５へ送信する（ステップＳ６０８）。
【００４７】
イーサネットパケット挿入回路５０５は、帯域情報パケット信号１２４を受信すると（ステップＳ６０９）、帯域情報パケット信号１２４をイーサネットパケット１２５に変換する（ステップＳ６１０）。そして、イーサネットパケット（帯域情報パケット）１２５を、イーサネット通信区間１１２に送信する（ステップＳ６１１）。
【００４８】
イーサネットパケット抽出回路４０３は、イーサネット通信区間１１２からイーサネットパケット１２５を抽出し（ステップＳ６１２）、抽出したイーサネットパケット１２５の中から帯域情報パケットを抽出し、帯域情報パケットから帯域情報を取得する（ステップＳ６１３）。そして、取得した帯域情報を基に帯域情報パケット信号１２６を生成し、帯域制御信号生成回路４０１に送信する（ステップＳ６１４）。
【００４９】
帯域制御信号生成回路４０１は、帯域情報パケット信号１２６を受信すると（ステップＳ６１５）、帯域情報パケット信号１２６から帯域制御信号１２３を生成する（ステップＳ６１６）。
【００５０】
以上に説明したように、第２の実施形態によれば、無線通信装置とＳＤＨ装置とが独立して設けられている場合であっても、無線信号終端回路５０１が無線通信区間１１３の無線通信回線品質の変化を検出すると、適応変調方式によって、無線通信区間１１３の帯域が無線通信回線品質に適した帯域に変更され、ＳＤＨ通信区間１１１の帯域が無線通信区間１１３の帯域に合わせた帯域に変更される。そのため、ＳＤＨ通信区間１１１の帯域が、固定的に確保されたままになることなく、無線通信回線品質の変化に合わせて柔軟に変更されるため、ＳＤＨ通信区間１１１の帯域が有効に活用されるようになる。
【００５１】
また、無線通信装置とＳＤＨ装置とが、ＬＡＮ（Ｌｏｃａｌ  Ａｒｅａ  Ｎｅｔｗｏｒｋ）などを介して離れた場所に設置されている場合であっても、イーサネットパケットを使用して帯域情報の伝達をしているので、ＳＤＨ装置は、ＳＤＨ通信区間１１１の帯域を無線通信区間１１３の帯域に合わせた帯域に変更することができる。そのため、無線通信装置とＳＤＨ装置とがＬＡＮなどを介して離れた場所に設置されている場合であっても、ＳＤＨ通信区間１１１の帯域が、固定的に確保されたままになることなく、無線通信回線品質の変化に合わせて柔軟に変更されるため、ＳＤＨ通信区間１１１の帯域が有効に活用されるようになる。
【００５２】
図７は、本発明によるＳＤＨ帯域制御システムの主要部を示すブロック図である。図７に示すように、無線通信回線１３（実施形態では、無線通信区間１１３で実現されている。）を介して通信を行う無線通信装置３０（実施形態では、無線通信装置３２０や無線通信装置５００で実現されている。）と、無線通信装置３０と通信可能に接続され、ＳＤＨ回線１１（実施形態では、ＳＤＨ通信区間１１１で実現されている。）を介して通信を行うＳＤＨ装置２０（実施形態では、ＳＤＨ装置３１０やＳＤＨ装置４００で実現されている。）とを備え、無線通信装置３０は、無線通信回線１３の無線通信回線品質の変化を検出する無線通信回線品質検出手段３１（実施形態では、無線信号終端回路３２１や無線信号終端回路５０１で実現されている。）と、無線通信回線品質検出手段３１の検出結果に応じて無線通信回線１３の帯域制御を行う伝送帯域制御手段３２（実施形態では、イーサネット帯域制御回路３２２やイーサネット帯域制御回路５０２で実現されている。）と、伝送帯域制御手段３２が帯域を変更した場合に、変更後の帯域をＳＤＨ装置２０に通知する伝送帯域通知手段３３（実施形態では、帯域情報伝達信号生成回路３２３で実現されている。）とを備え、ＳＤＨ装置２０は、無線通信装置３０から通知された帯域に応じて、ＳＤＨ回線１１の帯域制御を行うＳＤＨ回線帯域制御手段２１（実施形態では、ＶＣＡＴ終端回路３１２やＶＣＡＴ終端回路４０２で実現されている。）を備えている。
【００５３】
上記の実施形態には、以下のようなＳＤＨ帯域制御システムも開示されている。
【００５４】
（１）伝送帯域制御手段３２は、無線通信回線品質が低下した場合には無線通信回線１３の帯域を狭くし、無線通信回線品質が向上した場合には無線通信回線１３の帯域を広くするＳＤＨ帯域制御システム。
【００５５】
（２）伝送帯域制御手段３２は、無線通信回線品質が低下した場合には、帯域を現在の無線通信回線１３の帯域よりも狭くする変調方式に切り替え、無線通信回線品質が向上した場合には、帯域を現在の無線通信回線１３の帯域よりも広くする変調方式に切り替えるＳＤＨ帯域制御システム。
【００５６】
（３）図８に示すように、無線通信装置３０とＳＤＨ装置２０とがイーサネット通信回線１２によって接続されているＳＤＨ帯域制御システム。
【００５７】
（４）伝送帯域通知手段３３（実施形態では、イーサネットパケット挿入回路５０５で実現されている。）は、帯域変更後の帯域を示す帯域情報をイーサネットパケットに格納し、イーサネットパケットをイーサネット通信回線１２を介してＳＤＨ装置２０に送信し、ＳＤＨ装置２０は、イーサネット通信回線１２からイーサネットパケットを抽出し、イーサネットパケットから帯域情報を取得するＳＤＨ帯域制御システム。
【符号の説明】
【００５８】
１１  ＳＤＨ回線
１２  イーサネット通信回線
１３  無線通信回線
２１  ＳＤＨ回線帯域制御手段
３１  無線通信回線品質検出手段
３２  伝送帯域制御手段
３３  伝送帯域通知手段
１１０  任意ネットワーク
１１１  ＳＤＨ通信区間
１１２  イーサネット通信区間
１１３  無線通信区間
１２１  帯域情報信号
１２２  帯域情報伝達信号
１２３  帯域制御信号
１２４、１２６  帯域情報パケット信号
２０、２００、３１０、４００  ＳＤＨ装置
３００  伝送装置
３１１、４０１  帯域制御信号生成回路
３１２、４０２  ＶＣＡＴ終端回路
４０３  イーサネットパケット抽出回路
３０、３２０、５００  無線通信装置
３２１、５０１  無線信号終端回路
３２２、５０２  イーサネット帯域制御回路
３２３  帯域情報伝達信号生成回路
５０４  イーサネットパケット生成回路
５０５  イーサネットパケット挿入回路
【図１】
2012044360.tif 000003
【図２】
2012044360.tif 000004
【図３】
2012044360.tif 000005
【図４】
2012044360.tif 000006
【図５】
2012044360.tif 000007
【図６】
2012044360.tif 000008
【図７】
2012044360.tif 000009
【図８】
2012044360.tif 000010